(57)【要約】【課題】ハウジングと、ハウジングを覆うシェルと、シェルと別体のグランド部材とを備えるコネクタであって、グランド部材に設けられた弾性変形部のバネ力を利用してシェルと接続するコネクタを提供すること。【解決手段】コネクタ１０は、ハウジング２０と、シェル４０と、シェル４０と別体のグランド部材５０と、受止部５８０とを備えている。シェル４０は、背面部４０Ｒを有している。背面部４０Ｒは、前後方向（Ｘ方向）においてハウジング２０の背面２３０を覆っている。グランド部材５０は、弾性変形部５５０と、被押当部５６０とを有している。弾性変形部５５０は、被押当部５６０を支持している。被押当部５６０は、前後方向においてシェル４０の背面部４０Ｒに押し当てられている。背面部４０Ｒは、前後方向において被押当部５６０と受止部５８０との間に挟まれている。【選択図】図５
2018045971.tif 000002
【特許請求の範囲】
【請求項１】
対象物に取付可能であって、且つ、相手側シェルを備えた相手側コネクタと前後方向に沿って嵌合可能なコネクタであり、
前記コネクタは、前記前後方向における前側に嵌合部を有しており、且つ、ハウジングと、コンタクトと、シェルと、前記シェルと別体のグランド部材と、受止部とを備えており、
前記コンタクトは、前記ハウジングに保持されており、
前記シェルは、背面部を有しており、
前記背面部は、前記前後方向において前記ハウジングの背面を覆っており、
前記グランド部材は、少なくとも１つの被保持部と、少なくとも１つの接続部と、被固定部と、弾性変形部と、被押当部とを有しており、
前記被保持部は、前記ハウジングに保持されており、
前記接続部は、前記相手側シェルと接続する部位であり、
前記被固定部は、前記対象物に固定される部位であり、
前記弾性変形部は、前記被押当部を支持しており、
前記被押当部は、前記前後方向において前記シェルの前記背面部に押し当てられており、
前記受止部は、前記ハウジング又は前記グランド部材の一部であり、
前記背面部は、前記前後方向において前記被押当部と前記受止部との間に挟まれている
コネクタ。
【請求項２】
請求項１記載のコネクタであって、
前記シェルの前記背面部は、前記前後方向において前記受止部によって受け止められている
コネクタ。
【請求項３】
請求項１又は請求項２記載のコネクタであって、
前記受止部は、前記グランド部材の一部であり、
前記被押当部は、前記前後方向において後方に向かって前記背面部に押し当てられている
コネクタ。
【請求項４】
請求項３記載のコネクタであって、
前記グランド部材は、２つの側板部と、第１連結部と、第２連結部とを有しており、
２つの前記側板部には、前記被保持部が夫々設けられており、且つ、前記接続部が夫々設けられており、
２つの前記側板部は、前記前後方向と直交するピッチ方向において互いに離れており、
前記第１連結部及び前記第２連結部の夫々は、前記側板部を互いに連結しており、
前記弾性変形部は、前記第１連結部から延びており、
前記受止部は、前記第２連結部から延びている
コネクタ。
【請求項５】
請求項４記載のコネクタであって、
前記被押当部と前記受止部とは、前記前後方向及び前記ピッチ方向の双方と直交する上下方向において互いに異なる位置にある
コネクタ。
【請求項６】
請求項４又は請求項５記載のコネクタであって、
前記弾性変形部は、前記前後方向及び前記ピッチ方向の双方と直交する上下方向において、上端と、下端とを有しており、
前記弾性変形部の前記上端は、前記第１連結部と繋がっており、
前記弾性変形部の前記下端は、前記被押当部と繋がっており、前記弾性変形部の前記上端に対して相対的に移動可能である
コネクタ。
【請求項７】
請求項３から請求項６までのいずれかに記載のコネクタであって、
前記受止部の一部は、前記前後方向及び前記ピッチ方向の双方と直交する上下方向において、前記背面部の下縁と同じ位置にある
コネクタ。
【請求項８】
請求項１又は請求項２記載のコネクタであって、
前記被押当部は、前記前後方向において前方に向かって前記背面部に押し当てられている
コネクタ。
【請求項９】
請求項８記載のコネクタであって、
前記受止部は、前記ハウジングの一部である
コネクタ。
【請求項１０】
請求項８又は請求項９記載のコネクタであって、
前記グランド部材は、２つの側板部と、連結部とを有しており、
２つの前記側板部には、前記被保持部が夫々設けられており、且つ、前記接続部が夫々設けられており、
２つの前記側板部は、前記前後方向と直交するピッチ方向において互いに離れており、
前記連結部は、前記側板部を互いに連結しており、
前記弾性変形部は、前記連結部から延びている
コネクタ。
【請求項１１】
請求項１０記載のコネクタであって、
前記弾性変形部は、前記前後方向及び前記ピッチ方向の双方と直交する上下方向において、上端と、下端とを有しており、
前記弾性変形部の前記下端は、前記連結部と繋がっており、
前記弾性変形部の前記上端は、前記被押当部と繋がっており、前記弾性変形部の前記下端に対して相対的に移動可能である
コネクタ。
【請求項１２】
請求項８から請求項１１までのいずれかに記載のコネクタであって、
前記弾性変形部の一部は、前記前後方向及び前記ピッチ方向の双方と直交する上下方向において、前記背面部の下縁と同じ位置にある
コネクタ。
【請求項１３】
請求項１から請求項１２までのいずれかに記載のコネクタであって、筐体に収容可能なコネクタであり、
前記シェルは、前記筐体に接続される筐体接続部を有している
コネクタ。
【発明の詳細な説明】
【技術分野】
【０００１】
本発明は、ハウジングと、ハウジングを覆うシェルと、シェルと別体のグランド部材とを備えるコネクタに関する。
【背景技術】
【０００２】
特許文献１には、このタイプのコネクタが開示されている。
【０００３】
図１７を参照すると、特許文献１に開示されたコネクタ９００は、外部ハウジング（ハウジング）９１０と、ハウジング９１０を覆う外部シェル（シェル）９２０と、シェル９２０と別体の２つの接続体（グランド部材）９３０と、３つの組に分けられた複数のコンタクト９４０と、コンタクト９４０の３つの組を夫々覆う３つの内部シェル９５０とを備えている。内部シェル９５０は、ピッチ方向において互いに離れている。内部シェル９５０の夫々は、２つの連結部９５２を有している。グランド部材９３０の夫々は、ピッチ方向において隣り合う２つの内部シェル９５０の間に位置している。ピッチ方向において隣り合う２つの内部シェル９５０は、２つの連結部９５２及びグランド部材９３０を介して互いに接続されている。更に、ピッチ方向外側に位置する２つの内部シェル９５０の夫々は、連結部９５２を介してシェル９２０に接続されている。
【０００４】
コネクタ９００が相手側シェルを備えた相手側コネクタと嵌合する場合、内部シェル９５０の夫々は、相手側シェルと接続する。この結果、シェル９２０、グランド部材９３０、内部シェル９５０及び相手側シェルが互いに接続され、これによりシールド機能が強化される。
【先行技術文献】
【特許文献】
【０００５】
【特許文献１】特開２０１１−２３３５０５号公報
【発明の概要】
【発明が解決しようとする課題】
【０００６】
シェルと別体のグランド部材にバネ力を有する弾性変形部を設けて、弾性変形部のバネ力を利用してグランド部材をシェルと接続させたいという要望がある。
【０００７】
そこで、本発明は、この要望に応えることができるコネクタを提供することを目的とする。
【課題を解決するための手段】
【０００８】
グランド部材に設けた弾性変形部のバネ力を利用してグランド部材をシェルと接続する場合、バネ力を受ける部位としてシェルの背面部が適している。しかしながら、シェルの背面部にバネ力を加えると、バネ力によってシェルがハウジングから浮き上がる恐れがある。本発明によるコネクタは、シェルのハウジングからの浮き上がりを防止する構造を有している。より具体的には、本発明は、下記のコネクタを提供する。
【０００９】
本発明は、第１のコネクタとして、
対象物に取付可能であって、且つ、相手側シェルを備えた相手側コネクタと前後方向に沿って嵌合可能なコネクタであり、
前記コネクタは、前記前後方向における前側に嵌合部を有しており、且つ、ハウジングと、コンタクトと、シェルと、前記シェルと別体のグランド部材と、受止部とを備えており、
前記コンタクトは、前記ハウジングに保持されており、
前記シェルは、背面部を有しており、
前記背面部は、前記前後方向において前記ハウジングの背面を覆っており、
前記グランド部材は、少なくとも１つの被保持部と、少なくとも１つの接続部と、被固定部と、弾性変形部と、被押当部とを有しており、
前記被保持部は、前記ハウジングに保持されており、
前記接続部は、前記相手側シェルと接続する部位であり、
前記被固定部は、前記対象物に固定される部位であり、
前記弾性変形部は、前記被押当部を支持しており、
前記被押当部は、前記前後方向において前記シェルの前記背面部に押し当てられており、
前記受止部は、前記ハウジング又は前記グランド部材の一部であり、
前記背面部は、前記前後方向において前記被押当部と前記受止部との間に挟まれている
コネクタを提供する。
【００１０】
また、本発明は、第２のコネクタとして、第１のコネクタであって、
前記シェルの前記背面部は、前記前後方向において前記受止部によって受け止められている
コネクタを提供する。
【００１１】
また、本発明は、第３のコネクタとして、第１又は第２のコネクタであって、
前記受止部は、前記グランド部材の一部であり、
前記被押当部は、前記前後方向において後方に向かって前記背面部に押し当てられている
コネクタを提供する。
【００１２】
また、本発明は、第４のコネクタとして、第３のコネクタであって、
前記グランド部材は、２つの側板部と、第１連結部と、第２連結部とを有しており、
２つの前記側板部には、前記被保持部が夫々設けられており、且つ、前記接続部が夫々設けられており、
２つの前記側板部は、前記前後方向と直交するピッチ方向において互いに離れており、
前記第１連結部及び前記第２連結部の夫々は、前記側板部を互いに連結しており、
前記弾性変形部は、前記第１連結部から延びており、
前記受止部は、前記第２連結部から延びている
コネクタを提供する。
【００１３】
また、本発明は、第５のコネクタとして、第４のコネクタであって、
前記被押当部と前記受止部とは、前記前後方向及び前記ピッチ方向の双方と直交する上下方向において互いに異なる位置にある
コネクタを提供する。
【００１４】
また、本発明は、第６のコネクタとして、第４又は第５のコネクタであって、
前記弾性変形部は、前記前後方向及び前記ピッチ方向の双方と直交する上下方向において、上端と、下端とを有しており、
前記弾性変形部の前記上端は、前記第１連結部と繋がっており、
前記弾性変形部の前記下端は、前記被押当部と繋がっており、前記弾性変形部の前記上端に対して相対的に移動可能である
コネクタを提供する。
【００１５】
また、本発明は、第７のコネクタとして、第３から第６までのコネクタのいずれかであって、
前記受止部の一部は、前記前後方向及び前記ピッチ方向の双方と直交する上下方向において、前記背面部の下縁と同じ位置にある
コネクタを提供する。
【００１６】
また、本発明は、第８のコネクタとして、第１又は第２のコネクタであって、
前記被押当部は、前記前後方向において前方に向かって前記背面部に押し当てられている
コネクタを提供する。
【００１７】
また、本発明は、第９のコネクタとして、第８のコネクタであって、
前記受止部は、前記ハウジングの一部である
コネクタを提供する。
【００１８】
また、本発明は、第１０のコネクタとして、第８又は第９のコネクタであって、
前記グランド部材は、２つの側板部と、連結部とを有しており、
２つの前記側板部には、前記被保持部が夫々設けられており、且つ、前記接続部が夫々設けられており、
２つの前記側板部は、前記前後方向と直交するピッチ方向において互いに離れており、
前記連結部は、前記側板部を互いに連結しており、
前記弾性変形部は、前記連結部から延びている
コネクタを提供する。
【００１９】
また、本発明は、第１１のコネクタとして、第１０のコネクタであって、
前記弾性変形部は、前記前後方向及び前記ピッチ方向の双方と直交する上下方向において、上端と、下端とを有しており、
前記弾性変形部の前記下端は、前記連結部と繋がっており、
前記弾性変形部の前記上端は、前記被押当部と繋がっており、前記弾性変形部の前記下端に対して相対的に移動可能である
コネクタを提供する。
【００２０】
また、本発明は、第１２のコネクタとして、第８から第１１までのコネクタのいずれかであって、
前記弾性変形部の一部は、前記前後方向及び前記ピッチ方向の双方と直交する上下方向において、前記背面部の下縁と同じ位置にある
コネクタを提供する。
【００２１】
また、本発明は、第１３のコネクタとして、第１から第１２までのコネクタのいずれかであって、筐体に収容可能なコネクタであり、
前記シェルは、前記筐体に接続される筐体接続部を有している
コネクタを提供する。
【発明の効果】
【００２２】
本発明において、グランド部材の被押当部は、弾性変形部に支持されており、前後方向においてシェルの背面部に押し当てられている。即ち、グランド部材は、弾性変形部のバネ力を利用してシェルと接続する。シェルの背面部は、前後方向において被押当部と受止部との間に挟まれており、これにより移動が規制されている。このため、シェルのハウジングからの浮き上がりが防止されている。
【図面の簡単な説明】
【００２３】
【図１】本発明の実施の形態によるコネクタを示す斜視図である。
【図２】図１のコネクタを示す別の斜視図である。
【図３】図１のコネクタを示す分解斜視図である。グランド部材の隠れた輪郭の一部を破線で描画している。
【図４】図１のコネクタを示す正面図である。コネクタに内部シェルを設ける場合の内部シェルの一例の輪郭を破線で描画している。
【図５】図４のコネクタをＶ−Ｖ線に沿って示す断面図である。コネクタが搭載される回路基板の上面の一部を１点鎖線で描画している。コネクタが収容される筐体の一部を２点鎖線で描画している。コネクタが筐体に収容された際のシェルの筐体接続部の輪郭を破線で描画している。
【図６】図１のコネクタと相手側コネクタとを示す一部切り欠き斜視図である。コネクタは、相手側コネクタと嵌合していない。コネクタが搭載される回路基板の上面の一部を２点鎖線で描画している。相手側コネクタが接続されたケーブルの輪郭を破線で描画している。
【図７】図６のコネクタの一部（１点鎖線Ａで囲んだ部分）と相手側コネクタの一部（１点鎖線Ｂで囲んだ部分）とを示す斜視図である。コネクタは、相手側コネクタと嵌合している。
【図８】図１のコネクタのグランド部材を示す斜視図である。
【図９】図１のコネクタの第１の変形例を示す斜視図である。
【図１０】図９のコネクタを示す分解斜視図である。
【図１１】図９のコネクタを示す断面図である。コネクタが搭載される回路基板の上面の一部を１点鎖線で描画している。コネクタが収容される筐体の一部を２点鎖線で描画している。
【図１２】図９のコネクタのグランド部材を示す斜視図である。
【図１３】図１のコネクタの第２の変形例を示す斜視図である。
【図１４】図１３のコネクタを示す分解斜視図である。
【図１５】図１３のコネクタを示す断面図である。コネクタが搭載される回路基板の上面の一部を１点鎖線で描画している。コネクタが収容される筐体の一部を２点鎖線で描画している。
【図１６】図１３のコネクタのグランド部材を示す斜視図である。
【図１７】特許文献１のコネクタを示す分解斜視図である。
【発明を実施するための形態】
【００２４】
図１及び図６を参照すると、本発明の実施の形態によるコネクタ１０は、相手側コネクタ６０（プラグ）と嵌合可能なレセプタクルである。図５及び図６を参照すると、コネクタ１０は、対象物（回路基板）７０に取付可能であり、且つ、筐体８０に収容可能である。詳しくは、本実施の形態において、回路基板７０は、上下方向（Ｚ方向）における上面７０Ｕを有している。コネクタ１０は、使用時に、回路基板７０の上面７０Ｕに搭載され、且つ、電子機器（図示せず）の筐体８０の内部に収容される。但し、本発明は、これに限られず、様々なコネクタに適用可能である。例えば、コネクタ１０は、プラグであってもよい。
【００２５】
図６を参照すると、相手側コネクタ６０は、絶縁体からなる相手側ハウジング６１０と、２組の相手側コンタクトセット６２０Ｓと、金属製の２つの相手側シェル６３０とを備えている。相手側コンタクトセット６２０Ｓの夫々は、導電体からなる複数の相手側コンタクト６２０を含んでいる。相手側コンタクト６２０の夫々は、相手側ハウジング６１０に保持されており、且つ、ケーブル６９０と接続されている。２組の相手側コンタクトセット６２０Ｓは、ピッチ方向（Ｙ方向）において互いに離れており、且つ、前後方向（Ｘ方向）と直交する平面において相手側シェル６３０に夫々覆われている。
【００２６】
図１及び図２を参照すると、コネクタ１０は、前端１０Ｆと、後端１０Ｒと、嵌合部１２とを有している。前端１０Ｆ及び後端１０Ｒは、コネクタ１０のＸ方向における前端（＋Ｘ側の端）及び後端（−Ｘ側の端）に夫々位置している。嵌合部１２は、Ｘ方向におけるコネクタ１０の前側（＋Ｘ側）に位置している。換言すれば、嵌合部１２は、コネクタ１０の前端１０Ｆ近傍に設けられている。
【００２７】
図６を参照すると、コネクタ１０は、回路基板７０に取り付けられた状態において、Ｘ方向（嵌合方向）に沿って相手側コネクタ６０と嵌合可能である。コネクタ１０と相手側コネクタ６０とが互いに嵌合した嵌合状態において、嵌合部１２は、相手側コネクタ６０と嵌合する。特に、本実施の形態の嵌合部１２は、嵌合状態において、相手側コネクタ６０の−Ｘ側の端部を受容する。但し、本発明は、これに限られず、嵌合部１２は、嵌合状態において、相手側コネクタ６０の−Ｘ側の端部に受容されてもよい。
【００２８】
図１から図３までを参照すると、コネクタ１０は、絶縁体からなるハウジング２０と、２組のコンタクトセット３０Ｓと、金属製のシェル４０と、導電体からなり且つシェル４０と別体のグランド部材５０とを備えている。コンタクトセット３０Ｓの夫々は、導電体からなる４つのコンタクト３０を含んでいる。即ち、コネクタ１０は、複数のコンタクト３０を備えている。
【００２９】
図１から図４までを参照すると、ハウジング２０は、前方（＋Ｘ方向）に向かって開口した箱形状を有している。詳しくは、ハウジング２０は、上部２０Ｕと、下部２０Ｌと、２つの側部２０Ｓと、後部２０Ｒとを有している。上部２０Ｕ、下部２０Ｌ、側部２０Ｓ及び後部２０Ｒの夫々は、概ね板形状を有している。図３に示されるように、後部２０Ｒは、後方（−Ｘ方向）を向いた平面状の背面２３０を有している。
【００３０】
図２及び図４に示されるように、ハウジング２０は、２つの受容部２１０と、保持部２２０と、２つのコンタクト保持部２１２とを有している。保持部２２０は、後部２０ＲのＹ方向及びＺ方向における中間部から前方に突出している。受容部２１０の夫々は、嵌合部１２に設けられた空間である。受容部２１０は、Ｙ方向において保持部２２０の両側に夫々形成されている。コンタクト保持部２１２は、受容部２１０の内部に夫々設けられている。コンタクト保持部２１２の夫々は、後部２０Ｒから前方に突出している。図６を参照すると、嵌合状態において、受容部２１０は、相手側コネクタ６０の相手側シェル６３０を夫々受容し、コンタクト保持部２１２は、相手側シェル６３０に夫々受容される。
【００３１】
本実施の形態のハウジング２０は、上述した構造を有している。但し、本発明は、これに限られず、ハウジング２０は、様々に変形可能である。例えば、保持部２２０を、後部２０Ｒの上端近傍に配置してもよい。この場合、コンタクト保持部２１２は、２つの側部２０Ｓの間に位置するようにして１つだけ形成されていてもよい。
【００３２】
図４を参照すると、２組のコンタクトセット３０Ｓは、受容部２１０に夫々対応して設けられており、Ｙ方向において互いに離れている。受容部２１０の夫々において、コンタクトセット３０Ｓのコンタクト３０は、上下２列に配置されており、且つ、コンタクト保持部２１２に保持されている。
【００３３】
図３及び図４を参照すると、上側（＋Ｚ側）に配置された上側コンタクト３０の形状は、下側（−Ｚ側）に配置された下側コンタクト３０の形状と少し異なっている。但し、コンタクト３０は、互いに同じ基本構造を有している。詳しくは、コンタクト３０の夫々は、被保持部３１０と、接触部３２０と、延長部３８０と、被固定部３９０とを有している。被保持部３１０は、ハウジング２０のコンタクト保持部２１２に保持されている。接触部３２０は、被保持部３１０から前方に延びている。延長部３８０は、被保持部３１０から下方（−Ｚ方向）に延びている。被固定部３９０は、延長部３８０の下端（−Ｚ側の端）から後方に延びている。
【００３４】
図５を参照すると、被固定部３９０は、コネクタ１０の使用時に、回路基板７０の上面７０Ｕに形成された導電パッド（図示せず）に半田付け等によって接続され固定される。
【００３５】
図６を参照すると、コンタクトセット３０Ｓは、相手側コネクタ６０の相手側コンタクトセット６２０Ｓと夫々対応している。また、コンタクトセット３０Ｓの夫々におけるコンタクト３０は、対応する相手側コンタクトセット６２０Ｓの相手側コンタクト６２０と夫々対応している。嵌合状態において、接触部３２０の夫々は、対応する相手側コンタクト６２０と接触する。即ち、嵌合状態において、コンタクト３０は、相手側コンタクト６２０と夫々接続し、これにより、回路基板７０の導電パターン（図示せず）は、ケーブル６９０と電気的に接続される。
【００３６】
本実施の形態のコンタクト３０は、上述した構造を有している。但し、本発明は、これに限られず、コンタクト３０は、様々に変形可能である。例えば、コンタクトセット３０Ｓの夫々において、コンタクト３０は、１列に配置されていてもよい。この場合、コンタクト３０は、互いに同じ形状を有していてもよい。また、コンタクト３０は、相手側コンタクト６２０と夫々対応している限り、２組に分けられていなくてもよい。換言すれば、コネクタ１０は、コンタクトセット３０Ｓを１つのみ備えていてもよい。この場合、コネクタ１０は、１以上のコンタクト３０を備えていればよい。
【００３７】
図１から図３までを参照すると、シェル４０は、前方及び下方に向かって開口した箱形状を有している。詳しくは、シェル４０は、上板部４０Ｕと、２つの側板部４０Ｓと、背面部４０Ｒとを有している。シェル４０は、折り曲げられた１枚の金属板である。上板部４０Ｕ、側板部４０Ｓ及び背面部４０Ｒの夫々は、多少の曲げを有する平板形状を有している。
【００３８】
図３を参照すると、シェル４０は、上方（＋Ｚ側）からハウジング２０に取り付けられている。この結果、シェル４０は、ハウジング２０の大部分を覆っている。特に、シェル４０の背面部４０Ｒは、ハウジング２０の後部２０Ｒを後方から覆っている。即ち、背面部４０Ｒは、Ｘ方向においてハウジング２０の背面２３０を覆っている。また、背面部４０Ｒの下端には、凹部４４０が形成されている。凹部４４０は、グランド部材５０に対応するように設けられており、背面部４０Ｒの下端から上方に凹んでいる。但し、本発明は、これに限られず、凹部４４０は、必ずしも設ける必要はない。換言すれば、背面部４０Ｒの下端は、上方に凹むことなくＹ方向に沿って直線状に延びていてもよい。
【００３９】
図２から図４までを参照すると、シェル４０は、２つの主接続部４２０を有している。主接続部４２０は、側板部４０Ｓに夫々形成されている。主接続部４２０の夫々は、弾性変形可能である。主接続部４２０の一部（接点部）は、Ｙ方向において移動可能に支持されており、且つ、受容部２１０の内部に突出している。図６を参照すると、嵌合状態において、主接続部４２０の接点部は、相手側コネクタ６０の相手側シェル６３０と夫々接触する。
【００４０】
図１から図４までに示されるように、シェル４０は、筐体接続部４３０を有している。筐体接続部４３０は、上板部４０Ｕに形成されている。筐体接続部４３０は、弾性変形可能である。詳しくは、筐体接続部４３０は、上板部４０Ｕから、Ｙ方向において２つのバネに分かれつつ、上方及び後方に延びている。筐体接続部４３０の上端部は、Ｚ方向において移動可能に支持されている。図５を参照すると、コネクタ１０が筐体８０の内部に収容されたとき、筐体接続部４３０の上端部は、筐体８０と接触する。即ち、シェル４０は、筐体８０と接続する筐体接続部４３０を有している。
【００４１】
図１から図４までを参照すると、シェル４０は、６つの被固定部４９０を有している。被固定部４９０のうちの３つは、シェル４０の＋Ｙ側に設けられており、被固定部４９０のうちの他の３つは、シェル４０の−Ｙ側に設けられている。被固定部４９０の夫々は、下方に延びている。図５を参照すると、被固定部４９０の夫々は、コネクタ１０の使用時に、回路基板７０に形成されたスルーホール（図示せず）に挿入され固定される。これにより、シェル４０は、回路基板７０にグランドされる。
【００４２】
本実施の形態のシェル４０は、上述した構造を有している。但し、本発明は、これに限られず、シェル４０は、様々に変形可能である。また、コネクタ１０は、上述した部材に加えて、付加部材４０Ｘ（図４参照）のような様々な部材を更に備えていてもよい。
【００４３】
図８を参照すると、グランド部材５０は、折り曲げられた１枚の金属板である。グランド部材５０は、２つの側板部５１０と、第１連結部５４０と、弾性変形部５５０と、被押当部５６０と、第２連結部５７０と、曲部５７４と、受止部５８０と、２つの被固定部５９０とを有している。２つの側板部５１０は、Ｙ方向において互いに離れており、且つ、ＸＺ平面に沿って互いに平行に延びている。２つの側板部５１０には、被保持部５２０が夫々設けられており、且つ、接続部５３０が夫々設けられている。即ち、グランド部材５０は、２つの被保持部５２０と、２つの接続部５３０とを有している。
【００４４】
被保持部５２０の夫々は、複数の突起５２４と、複数の突起５２６とを有している。被保持部５２０の夫々において、突起５２４は、外表面５２２からＹ方向外側に突出しており、突起５２６は、被保持部５２０の上縁及び下縁から上下に突出している。
【００４５】
図３、図４及び図８を参照すると、グランド部材５０は、ハウジング２０の後部２０ＲのＹ方向における中間部に取り付けられている。詳しくは、被保持部５２０の夫々は、この中間部に後方から圧入されており、突起５２４及び突起５２６により、ハウジング２０に強固に保持されている。被保持部５２０は、保持部２２０の後端においてハウジング２０に保持されている。本実施の形態によれば、グランド部材５０を、２つの被保持部５２０によってしっかりとハウジング２０に保持できる。
【００４６】
図８を参照すると、被固定部５９０は、被保持部５２０から下方に夫々延びている。図５を参照すると、被固定部５９０は、回路基板７０に固定される部位である。詳しくは、被固定部５９０の夫々は、コネクタ１０の使用時に、回路基板７０に形成されたスルーホール（図示せず）に挿入され固定される。これにより、グランド部材５０は、回路基板７０にグランドされる。
【００４７】
図８を参照すると、接続部５３０の夫々は、バネ部５３２と、接点部５３８とを有している。バネ部５３２は、その後端において被保持部５２０と繋がっており、弾性変形可能となるように前方に延びている。接点部５３８は、バネ部５３２の前端近傍に設けられており、バネ部５３２によってＹ方向に移動可能に支持されている。図２を参照すると、被保持部５２０は、ハウジング２０の保持部２２０のＹ方向両側に沿って夫々延びている。図４を参照すると、接続部５３０の接点部５３８は、保持部２２０からＹ方向外側に張り出している。
【００４８】
図６及び図７を参照すると、接続部５３０は、相手側コネクタ６０の相手側シェル６３０と接続する部位である。詳しくは、接続部５３０の接点部５３８は、嵌合状態において、相手側シェル６３０と夫々接触する。
【００４９】
図８を参照すると、第１連結部５４０及び第２連結部５７０の夫々は、側板部５１０をＹ方向において互いに連結している。第１連結部５４０及び第２連結部５７０は、Ｚ方向において互いに離れている。第１連結部５４０は、第２連結部５７０の上方に位置している。
【００５０】
弾性変形部５５０は、弾性変形可能となるように第１連結部５４０から下方に延びており、且つ、被押当部５６０を支持している。弾性変形部５５０は、Ｚ方向において上端５５２と、下端５５４とを有している。弾性変形部５５０の上端５５２は、第１連結部５４０の下端と繋がっている。弾性変形部５５０の下端５５４は、被押当部５６０と繋がっており、弾性変形部５５０の上端５５２に対して相対的に移動可能である。即ち、弾性変形部５５０において、上端５５２は、固定端であり、下端５５４は、自由端である。
【００５１】
図５及び図８を参照すると、被押当部５６０は、第２連結部５７０の上方に位置している。被押当部５６０は、自由端である弾性変形部５５０の下端５５４と繋がっており、Ｘ方向において移動可能である。本実施の形態によれば、第１連結部５４０は、Ｚ方向においてグランド部材５０の上端近傍に位置しており、第２連結部５７０は、Ｚ方向においてグランド部材５０の下部（−Ｚ側の部位）に位置している。これにより、弾性変形部５５０において上端５５２と下端５５４との間の距離を大きくし、バネ長を長くできる。また、第１連結部５４０のＹ方向におけるサイズ（幅）を大きくすることにより、弾性変形部５５０を幅広に形成し、これにより弾性変形部５５０のバネ力を大きくできる。
【００５２】
受止部５８０は、曲部５７４を介して第２連結部５７０から延びている。曲部５７４は、ＸＺ平面において下方に張り出した半円形状を有しており、第２連結部５７０の下端と受止部５８０の下端とを互いに連結している。受止部５８０は、ＹＺ平面と平行な平板形状を有している。受止部５８０は、Ｚ方向において被押当部５６０の下方に位置しており、Ｘ方向において被押当部５６０の後方に位置している。特に、受止部５８０は、シェル４０の背面部４０Ｒの下端近傍に位置している。詳しくは、受止部５８０の一部は、Ｚ方向において、背面部４０Ｒの下縁と同じ位置にある。
【００５３】
図５を参照すると、被押当部５６０は、Ｘ方向において後方に向かってシェル４０の背面部４０Ｒに押し当てられており、これにより、グランド部材５０は、シェル４０と接続している。即ち、本実施の形態において、グランド部材５０は、弾性変形部５５０のバネ力を利用してシェル４０と接続する。
【００５４】
図５及び図６を参照すると、前述したように、シェル４０及びグランド部材５０の夫々は、コネクタ１０の使用時に、回路基板７０にグランドされる。相手側シェル６３０の夫々は、嵌合状態において、シェル４０の主接続部４２０及び被固定部４９０を経由して回路基板７０にグランドされ、且つ、グランド部材５０の接続部５３０及び被固定部５９０を経由して回路基板７０にグランドされる。本実施の形態によれば、相手側シェル６３０、シェル４０及びグランド部材５０は、互いに接続されて、互いに同じ電位を有する。更に、相手側シェル６３０を、様々な経路でグランドできる。この構造により、嵌合状態におけるシールド機能を強化できる。
【００５５】
図１、図３及び図５を参照すると、シェル４０の背面部４０Ｒは、Ｘ方向において被押当部５６０と受止部５８０との間に挿入されている。図５を参照すると、曲部５７４は、シェル４０の凹部４４０を通過して延びている。凹部４４０を更に大きく上方に凹ませることで、シェル４０の背面部４０Ｒの下端を更に下方に延ばし、これによりシールド機能を更に強化できる。
【００５６】
被押当部５６０に押された背面部４０Ｒは、Ｘ方向において受止部５８０によって受け止められている。即ち、シェル４０の背面部４０Ｒは、Ｘ方向において被押当部５６０と受止部５８０との間に挟まれており、これにより移動が規制されている。このため、シェル４０のハウジング２０からの浮き上がりが防止される。
【００５７】
図５を参照すると、被押当部５６０と受止部５８０とは、Ｚ方向において互いに異なる位置にある。特に、本実施の形態において、被押当部５６０は、受止部５８０よりも上方の位置においてシェル４０の背面部４０Ｒを押している。背面部４０Ｒのうち被押当部５６０に直接押される部位（被押圧部）が所定距離だけ後方に移動すると、背面部４０Ｒのうち受止部５８０によって受け止められる部位（被受止部）は、所定距離よりも大きな距離を移動する。従って、背面部４０Ｒの被押圧部が僅かに移動しただけで、背面部４０Ｒの被受止部が受止部５８０によって受け止められる。本実施の形態によれば、シェル４０のハウジング２０からの浮き上がりがより確実に防止される。
【００５８】
図３を参照すると、グランド部材５０は、Ｙ方向と直交する所定平面（ＸＺ平面）について鏡対称な形状を有している。この構造により、２組のコンタクトセット３０Ｓの導体抵抗を互いに一致させることができる。
【００５９】
本実施の形態のグランド部材５０は、上述した構造を有している。但し、本発明は、これに限られず、グランド部材５０は、以下に説明するように、様々に変形可能である。
【００６０】
図５を参照すると、被押当部５６０と受止部５８０とは、Ｚ方向において互いに同じ位置にあってもよい。この構造によれば、シェル４０の背面部４０Ｒを、より容易に被押当部５６０と受止部５８０との間に挿入できる。
【００６１】
図８を参照すると、接続部５３０の夫々は、グランド部材５０のうちの接続部５３０を除く部位と別体であってもよい。例えば、図４を参照すると、コネクタ１０は、ＹＺ平面においてコンタクトセット３０Ｓを夫々覆う２つの内部シェル４０Ｙ（図４において破線で描画した部位）を備えていてもよい。図６を併せて参照すると、内部シェル４０Ｙは、嵌合状態において相手側コネクタ６０の相手側シェル６３０と夫々接続してもよい。この場合、接続部５３０は、側板部５１０の一部でなくてもよい。代わりに、内部シェル４０Ｙは、グランド部材５０の被保持部５２０に接続された所定部位を有していてもよい。この変形例においては、所定部位を含む内部シェル４０Ｙ全体が、グランド部材５０の接続部として機能する。換言すれば、この場合、グランド部材５０は、側板部５１０と別体に形成された接続部を有している。
【００６２】
図４を参照すると、前述したように、本発明は、コンタクトセット３０Ｓを１つのみ有するコネクタにも適用可能である。図８を参照すると、この場合、側板部５１０の夫々は、被保持部５２０及び接続部５３０を有していなくてもよい。代わりに、グランド部材５０は、第１連結部５４０の上端から前方に向かってＸＹ平面上を延びる上板部を１つだけ有していてもよい。この上板部には、１つの被保持部５２０と１つの接続部５３０とが設けられていてもよい。即ち、本発明によるグランド部材は、少なくとも１つの被保持部と、少なくとも１つの接続部とを有していればよい。
【００６３】
以下、コネクタ１０の変形例について、コネクタ１０との相違点を中心に説明する。
【００６４】
図９を図６と併せて参照すると、第１の変形例によるコネクタ１０Ａは、コネクタ１０と同様に、相手側シェル６３０を備えた相手側コネクタ６０と前後方向（嵌合方向：Ｘ方向）に沿って嵌合可能である。図１１を図５と併せて参照すると、コネクタ１０Ａは、コネクタ１０と同様に、嵌合部１２を有している。嵌合部１２は、嵌合状態において、相手側コネクタ６０（図６参照）と嵌合する。加えて、コネクタ１０Ａは、コネクタ１０と同様に、回路基板７０に取付可能であり、且つ、筐体８０に収容可能である。
【００６５】
図９及び図１０に示されるように、コネクタ１０Ａは、コネクタ１０（図１参照）と同じハウジング２０及び２組のコンタクトセット３０Ｓを備えている一方、コネクタ１０とは少し異なる、金属製のシェル４０Ａと、導電体からなるグランド部材５０Ａとを備えている。グランド部材５０Ａは、シェル４０Ａと別体の部材である。
【００６６】
図１０を図３と併せて参照すると、シェル４０Ａは、シェル４０と同様に１枚の金属板から形成されており、シェル４０と同じ基本構造を有している。但し、シェル４０Ａは、シェル４０と同じ側板部４０Ｓ及び上板部４０Ｕを有している一方、シェル４０の背面部４０Ｒとは少し異なる背面部４０ＲＡを有している。上下方向（Ｚ方向）における背面部４０ＲＡの下端には、シェル４０の凹部４４０に比べて上方に大きく凹んだ凹部４４０Ａが形成されている。シェル４０Ａは、上方からハウジング２０に取り付けられており、シェル４０Ａの背面部４０ＲＡは、ハウジング２０の背面２３０を覆っている。但し、本発明は、これに限られず、凹部４４０Ａは、必ずしも設ける必要はない。換言すれば、背面部４０ＲＡの下端は、上方に凹むことなくＹ方向に沿って直線状に延びていてもよい。
【００６７】
図１２を図８と併せて参照すると、グランド部材５０Ａは、グランド部材５０と同様に１枚の金属板から形成されており、グランド部材５０と同じ基本構造を有している。例えば、グランド部材５０は、ピッチ方向（Ｙ方向）と直交する所定平面（ＸＺ平面）について鏡対称な形状を有している。但し、グランド部材５０Ａは、グランド部材５０と同じ第１連結部５４０、弾性変形部５５０、被押当部５６０及び被固定部５９０を有している一方、グランド部材５０とは少し異なる２つの側板部５１０Ａ、第２連結部５７０Ａ、曲部５７４Ａ及び受止部５８０Ａを有している。
【００６８】
２つの側板部５１０Ａは、側板部５１０と同様に、Ｙ方向において互いに離れており、且つ、ＸＺ平面に沿って互いに平行に延びている。側板部５１０Ａの後端部の上端は、Ｚ方向において、側板部５１０の後端部の上端に比べて上方に位置している。この結果、グランド部材５０Ａの第１連結部５４０、弾性変形部５５０及び被押当部５６０は、グランド部材５０に比べて上方に位置している。この相違点を除き、２つの側板部５１０Ａは、側板部５１０と夫々同じ構造を有している。例えば、２つの側板部５１０Ａには、被保持部５２０が夫々設けられており、且つ、接続部５３０が夫々設けられている。
【００６９】
図１２を参照すると、第１連結部５４０及び第２連結部５７０Ａの夫々は、側板部５１０ＡをＹ方向において互いに連結している。第１連結部５４０は、第２連結部５７０Ａの上方に位置している。受止部５８０Ａは、曲部５７４Ａを介して第２連結部５７０Ａから延びている。曲部５７４Ａは、ＸＺ平面において階段形状を有しており、第２連結部５７０Ａの上端と受止部５８０Ａの下端とを互いに連結している。受止部５８０Ａは、ＹＺ平面と平行な平板形状を有している。受止部５８０Ａは、Ｘ方向において被押当部５６０の後方に位置している。また、受止部５８０Ａは、シェル４０Ａの背面部４０ＲＡの下端近傍に位置している。詳しくは、受止部５８０Ａの一部は、Ｚ方向において、背面部４０ＲＡの下縁と同じ位置にある。
【００７０】
図１１を参照すると、被押当部５６０は、Ｘ方向において後方に向かってシェル４０Ａの背面部４０ＲＡに押し当てられており、これにより、グランド部材５０Ａは、シェル４０Ａと接続している。本変形例によれば、上述した実施の形態と同様に、長いバネ長及び大きなバネ力を有する弾性変形部５５０が、被押当部５６０をシェル４０Ａにしっかりと押し付ける。
【００７１】
図１１を参照すると、曲部５７４Ａは、シェル４０Ａの凹部４４０Ａを通過して延びている。被押当部５６０に押されたシェル４０Ａの背面部４０ＲＡは、Ｘ方向において受止部５８０Ａによって受け止められている。即ち、シェル４０Ａの背面部４０ＲＡは、Ｘ方向において被押当部５６０と受止部５８０Ａとの間に挟まれており、これにより移動が規制されている。このため、シェル４０Ａのハウジング２０からの浮き上がりが防止される。受止部５８０Ａは、Ｚ方向において被押当部５６０の下方に位置している。この構造により、シェル４０Ａのハウジング２０からの浮き上がりがより確実に防止される。
【００７２】
以上に説明したように、本実施の形態及び第１の変形例によるコネクタは、受止部を備えている。受止部は、後方に向かって押圧されたシェルの背面部を受け止める。仮に受止部をハウジングに設ける場合、樹脂製部材であるハウジングの損傷を防止するために、受止部は、Ｘ方向において十分に大きなサイズを有する必要がある。この結果、ハウジング及びコネクタのＸ方向におけるサイズが大きくなる。一方、本実施の形態及び第１の変形例による受止部は、曲げ加工が容易な金属製のグランド部材の一部である。このため、コネクタのサイズの増大を避けつつ、シェルの背面部を確実に受け止めることができる。
【００７３】
但し、本発明は、これに限られず、受止部は、前方に向かって押圧されたシェルの背面部を受け止めてもよい。この場合、ハウジングの一部が受止部として機能してもよいし、グランド部材が受止部として機能してもよい。以上の説明から理解されるように、本発明による受止部は、ハウジング又はグランド部材の一部である。以下、受止部をハウジングに設ける場合の変形例について説明する。
【００７４】
図１３を図６と併せて参照すると、第２の変形例によるコネクタ１０Ｂは、コネクタ１０と同様に、相手側シェル６３０を備えた相手側コネクタ６０と前後方向（嵌合方向：Ｘ方向）に沿って嵌合可能である。詳しくは、図１５を図５と併せて参照すると、コネクタ１０Ｂは、コネクタ１０と同様に、嵌合部１２を有している。嵌合部１２は、嵌合状態において、相手側コネクタ６０（図６参照）と嵌合する。加えて、コネクタ１０Ｂは、コネクタ１０と同様に、回路基板７０に取付可能であり、且つ、筐体８０に収容可能である。
【００７５】
図１３及び図１４に示されるように、コネクタ１０Ｂは、コネクタ１０（図１参照）と同じ２組のコンタクトセット３０Ｓ及びシェル４０を備えている一方、コネクタ１０とは少し異なる、絶縁体からなるハウジング２０Ｂと、導電体からなるグランド部材５０Ｂとを備えている。グランド部材５０Ｂは、シェル４０と別体の部材である。
【００７６】
図１４を図３と併せて参照すると、ハウジング２０Ｂは、ハウジング２０と同じ基本構造を有している。但し、ハウジング２０Ｂは、ハウジング２０と同じ上部２０Ｕ、下部２０Ｌ（図２参照）及び２つの側部２０Ｓを有している一方、ハウジング２０の後部２０Ｒとは少し異なる後部２０ＲＢを有している。後部２０ＲＢには、２つの受止部２４０Ｂが設けられている。受止部２４０Ｂの夫々は、背面２３０から後方に突出している。
【００７７】
図１６を図８と併せて参照すると、グランド部材５０Ｂは、グランド部材５０と同様に１枚の金属板から形成されており、グランド部材５０と同じ基本構造を有している。例えば、グランド部材５０Ｂは、ピッチ方向（Ｙ方向）と直交する所定平面（ＸＺ平面）について鏡対称な形状を有している。但し、グランド部材５０Ｂは、グランド部材５０と同じ被固定部５９０を有している一方、グランド部材５０とは少し異なる２つの側板部５１０Ｂ、弾性変形部５５０Ｂ及び被押当部５６０Ｂを有している。また、グランド部材５０Ｂは、グランド部材５０の第１連結部５４０及び第２連結部５７０に代えて、１つの連結部５４０Ｂを有している。また、グランド部材５０Ｂは、グランド部材５０の曲部５７４及び受止部５８０に対応する部位を有していない。
【００７８】
２つの側板部５１０Ｂは、側板部５１０と同様に、Ｙ方向において互いに離れており、且つ、ＸＺ平面に沿って互いに平行に延びている。側板部５１０Ｂの後端部の上端は、上下方向（Ｚ方向）において、側板部５１０の後端部の上端に比べて下方に位置している。この相違点を除き、側板部５１０Ｂは、側板部５１０と夫々同じ構造を有している。例えば、２つの側板部５１０Ｂには、被保持部５２０が夫々設けられており、且つ、接続部５３０が夫々設けられている。
【００７９】
図１６を参照すると、連結部５４０Ｂは、側板部５１０ＢをＹ方向において互いに連結している。弾性変形部５５０Ｂは、弾性変形可能となるように連結部５４０Ｂから全体として上方に延びており、且つ、被押当部５６０Ｂを支持している。弾性変形部５５０Ｂは、シェル４０の背面部４０Ｒの下端近傍に位置している。詳しくは、弾性変形部５５０Ｂは、Ｚ方向において、上端５５２Ｂと、下端５５４Ｂとを有している。弾性変形部５５０Ｂの下端５５４Ｂは、連結部５４０Ｂの下端と繋がっており、弾性変形部５５０Ｂの一部（下端５５４Ｂと上端５５２Ｂとの間の部位）は、Ｚ方向において、背面部４０Ｒの下縁と同じ位置にある。弾性変形部５５０Ｂの上端５５２Ｂは、被押当部５６０Ｂと繋がっており、弾性変形部５５０Ｂの下端５５４Ｂに対して相対的に移動可能である。
【００８０】
被押当部５６０Ｂは、自由端である弾性変形部５５０Ｂの上端５５２Ｂと繋がっており、Ｘ方向において移動可能である。本変形例による弾性変形部５５０Ｂは上方に延びているため、回路基板７０（図１５参照）によって制約されることなく、弾性変形部５５０Ｂのバネ長を長くできる。また、連結部５４０ＢのＹ方向におけるサイズ（幅）を大きくすることにより、弾性変形部５５０Ｂを幅広に形成し、これにより弾性変形部５５０Ｂのバネ力を大きくできる。
【００８１】
図１５を参照すると、被押当部５６０Ｂは、Ｘ方向において前方に向かってシェル４０の背面部４０Ｒに押し当てられており、これにより、グランド部材５０Ｂは、シェル４０と接続されている。被押当部５６０Ｂに押されたシェル４０の背面部４０Ｒは、ハウジング２０Ｂの受止部２４０Ｂによって受け止められている。即ち、シェル４０の背面部４０Ｒは、Ｘ方向において被押当部５６０Ｂと受止部２４０Ｂとの間に挟まれており、これにより移動が規制されている。このため、シェル４０のハウジング２０Ｂからの浮き上がりが防止される。
【００８２】
図１４を参照すると、本変形例によれば、シェル４０をハウジング２０Ｂに取り付ける際、シェル４０の背面部４０Ｒの下端は、グランド部材５０Ｂの被押当部５６０Ｂの上端部分にガイドされて、ハウジング２０Ｂの受止部２４０Ｂと被押当部５６０Ｂとの間にスムーズに挿入される。換言すれば、本変形例のグランド部材５０Ｂは、背面部４０Ｒの下端をガイドするガイド部を有している。
【符号の説明】
【００８３】
１０，１０Ａ，１０Ｂ        コネクタ
１０Ｆ                      前端
１０Ｒ                      後端
１２                        嵌合部
２０，２０Ｂ                ハウジング
２０Ｕ                      上部
２０Ｌ                      下部
２０Ｓ                      側部
２０Ｒ，２０ＲＢ            後部
２１０                      受容部
２１２                      コンタクト保持部
２２０                      保持部
２３０                      背面
２４０Ｂ                    受止部
３０                        コンタクト
３０Ｓ                      コンタクトセット
３１０                      被保持部
３２０                      接触部
３８０                      延長部
３９０                      被固定部
４０，４０Ａ                シェル
４０Ｕ                      上板部
４０Ｓ                      側板部
４０Ｒ，４０ＲＡ            背面部
４２０                      主接続部
４３０                      筐体接続部
４４０，４４０Ａ            凹部
４９０                      被固定部
４０Ｘ                      付加部材
４０Ｙ                      内部シェル
５０，５０Ａ，５０Ｂ        グランド部材
５１０，５１０Ａ，５１０Ｂ  側板部
５２０                      被保持部
５２４，５２６              突起
５３０                      接続部
５３２                      バネ部
５３８                      接点部
５４０                      第１連結部
５４０Ｂ                    連結部
５５０，５５０Ｂ            弾性変形部
５５２，５５２Ｂ            上端
５５４，５５４Ｂ            下端
５６０，５６０Ｂ            被押当部
５７０，５７０Ａ            第２連結部
５７４，５７４Ａ            曲部
５８０，５８０Ａ            受止部
５９０                      被固定部
６０                        相手側コネクタ
６１０                      相手側ハウジング
６２０                      相手側コンタクト
６２０Ｓ                    相手側コンタクトセット
６３０                      相手側シェル
６９０                      ケーブル
７０                        対象物（回路基板）
７０Ｕ                      上面
８０                        筐体
【図１】
2018045971.tif 000003
【図２】
2018045971.tif 000004
【図３】
2018045971.tif 000005
【図４】
2018045971.tif 000006
【図５】
2018045971.tif 000007
【図６】
2018045971.tif 000008
【図７】
2018045971.tif 000009
【図８】
2018045971.tif 000010
【図９】
2018045971.tif 000011
【図１０】
2018045971.tif 000012
【図１１】
2018045971.tif 000013
【図１２】
2018045971.tif 000014
【図１３】
2018045971.tif 000015
【図１４】
2018045971.tif 000016
【図１５】
2018045971.tif 000017
【図１６】
2018045971.tif 000018
【図１７】
2018045971.tif 000019